(57)【特許請求の範囲】
【請求項１】
動画撮影機能を備えた携帯端末装置であって、
動画撮影依頼が入力されたかを判定する第１判定手段と、
前記携帯端末装置のユーザが、カラオケのコマンダを利用可能な状況であるかを判定する第２判定手段と、
前記第１判定手段により動画撮影依頼が入力されたと判定され、且つ、前記第２判定手段により、前記携帯端末装置のユーザが、カラオケのコマンダを利用可能な状況であると判定された場合、前記動画撮影機能による動画撮影を許可する許可手段と、
前記第１判定手段により動画撮影依頼が入力されたと判定され、且つ、前記第２判定手段により、前記携帯端末装置のユーザが、カラオケのコマンダを利用可能な状況であると判定されなかった場合、前記動画撮影機能による動画撮影を制限する制限手段と、
を備えることを特徴とする携帯端末装置。
【請求項２】
前記第２判定手段は、前記携帯端末装置と、カラオケのコマンダとがくくり付けられているかを判定し、
前記許可手段は、前記第１判定手段により動画撮影依頼が入力されたと判定され、且つ、前記第２判定手段により前記携帯端末装置とカラオケのコマンダとがくくり付けられていると判定された場合、前記動画撮影機能による動画撮影を許可し、
前記制限手段は、前記第１判定手段により動画撮影依頼が入力されたと判定され、且つ、前記第２判定手段により、前記携帯端末装置とカラオケのコマンダとがくくり付けられていると判定されなかった場合、前記動画撮影機能による動画撮影を制限することを特徴とする請求項１に記載の携帯端末装置。
【請求項３】
前記携帯端末装置は、
前記携帯端末装置のユーザを示すユーザ識別情報を取得する取得手段を、さらに備え、
前記第２判定手段は、前記ユーザ識別情報が示すユーザがカラオケのコマンダを利用中であるか、または、カラオケのコマンダとくくり付けられたリモコン装置に、前記ユーザ識別情報が示すユーザがログインしているかを判定し、
前記許可手段は、前記第１判定手段により動画撮影依頼が入力されたと判定され、且つ、前記第２判定手段により、前記ユーザ識別情報が示すユーザが、カラオケのコマンダを利用中である、または、カラオケのコマンダとくくり付けられたリモコン装置にログインしていると判定された場合、前記動画撮影機能による動画撮影を許可し、
前記制限手段は、
前記第１判定手段により動画撮影依頼が入力されたと判定され、且つ、前記第２判定手段により、前記ユーザ識別情報が示すユーザが、カラオケのコマンダを利用中である、または、カラオケのコマンダとくくり付けられたリモコン装置にログインしていると判定されなかった場合、前記動画撮影機能による動画撮影を制限することを特徴とする請求項１に記載の携帯端末装置。
【請求項４】
前記携帯端末装置は、
前記携帯端末装置のユーザが利用可能なコマンダにより演奏中であるかを判定する第３判定手段を、さらに備え、
前記許可手段は、前記第１判定手段により動画撮影依頼が入力されたと判定され、且つ、前記第２判定手段により、前記携帯端末装置のユーザが、カラオケのコマンダを利用可能な状況であると判定され、且つ、前記第３判定手段により、前記携帯端末装置のユーザが利用可能なコマンダにより演奏中であると判定された場合、前記動画撮影機能による動画撮影を許可することを特徴とする請求項１から請求項３のいずれか一項に記載の携帯端末装置。
【請求項５】
動画撮影機能を備えた携帯端末装置の動画投稿方法であって、
動画撮影依頼が入力されたかを判定する第１判定ステップと、
前記携帯端末装置のユーザが、カラオケのコマンダを利用可能な状況であるかを判定する第２判定ステップと、
前記第１判定ステップにより動画撮影依頼が入力されたと判定され、且つ、前記第２判定ステップにより、前記携帯端末装置のユーザが、カラオケのコマンダを利用可能な状況であると判定された場合、前記動画撮影機能による動画撮影を許可する許可ステップと、
前記第１判定ステップにより動画撮影依頼が入力されたと判定され、且つ、前記第２判定ステップにより、前記携帯端末装置のユーザが、カラオケのコマンダを利用可能な状況であると判定されなかった場合、前記動画撮影機能による動画撮影を制限する制限ステップと、
を含む動画投稿方法。
【請求項６】
動画撮影機能を備えた携帯端末装置のコンピュータに、
動画撮影依頼が入力されたかを判定する第１判定ステップと、
前記携帯端末装置のユーザが、カラオケのコマンダを利用可能な状況であるかを判定する第２判定ステップと、
前記第１判定ステップにより動画撮影依頼が入力されたと判定され、且つ、前記第２判定ステップにより、前記携帯端末装置のユーザが、カラオケのコマンダを利用可能な状況であると判定された場合、前記動画撮影機能による動画撮影を許可する許可ステップと、
前記第１判定ステップにより動画撮影依頼が入力されたと判定され、且つ、前記第２判定ステップにより、前記携帯端末装置のユーザが、カラオケのコマンダを利用可能な状況であると判定されなかった場合、前記動画撮影機能による動画撮影を制限する制限ステップと、
を実行させることを特徴とするプログラム。
【請求項７】
前記第２判定ステップは、前記携帯端末装置と、カラオケのコマンダとがくくり付けられているかを判定し、
前記許可ステップは、前記第１判定ステップにより動画撮影依頼が入力されたと判定され、且つ、前記第２判定ステップにより前記携帯端末装置とカラオケのコマンダとがくくり付けられていると判定された場合、前記動画撮影機能による動画撮影を許可し、
前記制限ステップは、前記第１判定ステップにより動画撮影依頼が入力されたと判定され、且つ、前記第２判定ステップにより前記携帯端末装置とカラオケのコマンダとがくくり付けられていると判定されなかった場合、前記動画撮影機能による動画撮影を制限することを特徴とする請求項６に記載のプログラム。
【請求項８】
前記携帯端末装置のコンピュータに、
前記携帯端末装置のユーザを示すユーザ識別情報を取得する取得ステップを、さらに実行させ、
前記第２判定ステップは、前記ユーザ識別情報が示すユーザがカラオケのコマンダを利用中であるか、または、カラオケのコマンダとくくり付けられたリモコン装置に、前記ユーザ識別情報が示すユーザがログインしているかを判定し、
前記許可ステップは、前記第１判定ステップにより動画撮影依頼が入力されたと判定され、且つ、前記第２判定ステップにより、前記ユーザ識別情報が示すユーザが、カラオケのコマンダを利用中である、または、カラオケのコマンダとくくり付けられたリモコン装置にログインしていると判定された場合、前記動画撮影機能による動画撮影を許可し、
前記制限ステップは、前記第１判定ステップにより動画撮影依頼が入力されたと判定され、且つ、前記第２判定ステップにより、前記ユーザ識別情報が示すユーザが、カラオケのコマンダを利用中である、または、カラオケのコマンダとくくり付けられたリモコン装置にログインしていると判定されなかった場合、前記動画撮影機能による動画撮影を制限することを特徴とする請求項６に記載のプログラム。
【請求項９】
前記携帯端末装置のコンピュータに、
前記携帯端末装置のユーザが利用可能なコマンダにより演奏中であるかを判定する第３判定ステップを、さらに実行させ、
前記許可ステップは、前記第１判定ステップにより動画撮影依頼が入力されたと判定され、且つ、前記第２判定ステップにより、前記携帯端末装置のユーザが、カラオケのコマンダを利用可能な状況であると判定され、且つ、前記第３判定ステップにより、前記携帯端末装置のユーザが利用可能なコマンダにより演奏中であると判定された場合、前記動画撮影機能による動画撮影を許可することを特徴とする請求項６から請求項８のいずれか一項に記載のプログラム。
【発明の詳細な説明】
【技術分野】
【０００１】
本発明は、動画を投稿可能な携帯端末装置に関する。具体的には、ユーザ個人が所有した撮影機能付きの携帯端末装置により、動画を撮影し、ネットワークへ投稿する技術に関する。
【背景技術】
【０００２】
従来、カラオケのコマンダにカメラが備えられたカラオケシステムが知られている。例えば、特許文献１には、カラオケのコマンダに備えられたカメラで撮影された動画をネットワークに投稿する技術が開示されている。これにより、ユーザが歌唱する動画がネットワーク上で公開されることになる。
【先行技術文献】
【特許文献】
【０００３】
【特許文献１】特開２０１０−３９００８号公報
【発明の開示】
【発明が解決しようとする課題】
【０００４】
従来では、コマンダに備えられたカメラで撮影された動画のみがネットワークに投稿可能なため、不適切な動画を検閲することが可能であった。一方、近年のスマートフォン等のカメラを備えた携帯端末の普及により、個人が所有する携帯端末でも動画が撮影可能になっている。このため、コマンダに備え付けられたカメラ以外で撮影された動画が、ネットワークに投稿される。ユーザにとっては、コマンダに備えられたカメラ以外で撮影可能なため、使い勝手が良い利点もある。しかしながら、個人所有の携帯端末により動画が投稿可能になることで、カラオケＢＯＸ以外で撮影された動画が投稿可能になり、不適切な動画を検閲する負担が大きくなる。
【０００５】
本発明は、以上のことを鑑みてなされたものである。本発明の目的は、ユーザの携帯端末により動画を投稿可能とし、さらに、不適切な動画の検閲の負担を減らすことが可能な携帯端末装置、動画投稿方法及びプログラムを提供することである。
【課題を解決するための手段】
【０００６】
請求項１に記載の発明によれば、動画撮影機能を備えた携帯端末装置であって、動画撮影依頼が入力されたかを判定する第１判定手段と、前記携帯端末装置のユーザが、カラオケのコマンダを利用可能な状況であるかを判定する第２判定手段と、前記第１判定手段により動画撮影依頼が入力されたと判定され、且つ、前記第２判定手段により、前記携帯端末装置のユーザが、カラオケのコマンダを利用可能な状況であると判定された場合、前記動画撮影機能による動画撮影を許可する許可手段と、前記第１判定手段により動画撮影依頼が入力されたと判定され、且つ、前記第２判定手段により、前記携帯端末装置のユーザが、カラオケのコマンダを利用可能な状況であると判定されなかった場合、前記動画撮影機能による動画撮影を制限する制限手段と、を備えることを特徴とする携帯端末装置である。
【０００７】
請求項２に記載の発明によれば、前記第２判定手段は、前記携帯端末装置と、カラオケのコマンダとがくくり付けられているかを判定し、前記許可手段は、前記第１判定手段により動画撮影依頼が入力されたと判定され、且つ、前記第２判定手段により前記携帯端末装置とカラオケのコマンダとがくくり付けられていると判定された場合、前記動画撮影機能による動画撮影を許可し、前記制限手段は、前記第１判定手段により動画撮影依頼が入力されたと判定され、且つ、前記第２判定手段により、前記携帯端末装置とカラオケのコマンダとがくくり付けられていると判定されなかった場合、前記動画撮影機能による動画撮影を制限することを特徴とする。
【０００８】
請求項３に記載の発明によれば、前記携帯端末装置は、前記携帯端末装置のユーザを示すユーザ識別情報を取得する取得手段を、さらに備え、前記第２判定手段は、前記ユーザ識別情報が示すユーザがカラオケのコマンダを利用中であるか、または、カラオケのコマンダとくくり付けられたリモコン装置に、前記ユーザ識別情報が示すユーザがログインしているかを判定し、前記許可手段は、前記第１判定手段により動画撮影依頼が入力されたと判定され、且つ、前記第２判定手段により、前記ユーザ識別情報が示すユーザが、カラオケのコマンダを利用中である、または、カラオケのコマンダとくくり付けられたリモコン装置にログインしていると判定された場合、前記動画撮影機能による動画撮影を許可し、前記制限手段は、前記第１判定手段により動画撮影依頼が入力されたと判定され、且つ、前記第２判定手段により、前記ユーザ識別情報が示すユーザが、カラオケのコマンダを利用中である、または、カラオケのコマンダとくくり付けられたリモコン装置にログインしていると判定されなかった場合、前記動画撮影機能による動画撮影を制限することを特徴とする。
【０００９】
請求項４に記載の発明によれば、前記携帯端末装置は、前記携帯端末装置のユーザが利用可能なコマンダにより演奏中であるかを判定する第３判定手段を、さらに備え、前記許可手段は、前記第１判定手段により動画撮影依頼が入力されたと判定され、且つ、前記第２判定手段により、前記携帯端末装置のユーザが、カラオケのコマンダを利用可能な状況であると判定され、且つ、前記第３判定手段により、前記携帯端末装置のユーザが利用可能なコマンダにより演奏中であると判定された場合、前記動画撮影機能による動画撮影を許可することを特徴とする。
【００１０】
請求項５に記載の発明によれば、動画撮影機能を備えた携帯端末装置の動画投稿方法であって、動画撮影依頼が入力されたかを判定する第１判定ステップと、前記携帯端末装置のユーザが、カラオケのコマンダを利用可能な状況であるかを判定する第２判定ステップと、前記第１判定ステップにより動画撮影依頼が入力されたと判定され、且つ、前記第２判定ステップにより、前記携帯端末装置のユーザが、カラオケのコマンダを利用可能な状況であると判定された場合、前記動画撮影機能による動画撮影を許可する許可ステップと、前記第１判定ステップにより動画撮影依頼が入力されたと判定され、且つ、前記第２判定ステップにより、前記携帯端末装置のユーザが、カラオケのコマンダを利用可能な状況であると判定されなかった場合、前記動画撮影機能による動画撮影を制限する制限ステップと、を含む動画投稿方法である。
【００１１】
請求項６に記載の発明によれば、動画撮影機能を備えた携帯端末装置のコンピュータに、動画撮影依頼が入力されたかを判定する第１判定ステップと、前記携帯端末装置のユーザが、カラオケのコマンダを利用可能な状況であるかを判定する第２判定ステップと、前記第１判定ステップにより動画撮影依頼が入力されたと判定され、且つ、前記第２判定ステップにより、前記携帯端末装置のユーザが、カラオケのコマンダを利用可能な状況であると判定された場合、前記動画撮影機能による動画撮影を許可する許可ステップと、前記第１判定ステップにより動画撮影依頼が入力されたと判定され、且つ、前記第２判定ステップにより、前記携帯端末装置のユーザが、カラオケのコマンダを利用可能な状況であると判定されなかった場合、前記動画撮影機能による動画撮影を制限する制限ステップと、を実行させることを特徴とするプログラムである。
【００１２】
請求項７に記載の発明によれば、前記第２判定ステップは、前記携帯端末装置と、カラオケのコマンダとがくくり付けられているかを判定し、前記許可ステップは、前記第１判定ステップにより動画撮影依頼が入力されたと判定され、且つ、前記第２判定ステップにより前記携帯端末装置とカラオケのコマンダとがくくり付けられていると判定された場合、前記動画撮影機能による動画撮影を許可し、前記制限ステップは、前記第１判定ステップにより動画撮影依頼が入力されたと判定され、且つ、前記第２判定ステップにより前記携帯端末装置とカラオケのコマンダとがくくり付けられていると判定されなかった場合、前記動画撮影機能による動画撮影を制限することを特徴とする。
【００１３】
請求項８に記載の発明によれば、前記携帯端末装置のコンピュータに、前記携帯端末装置のユーザを示すユーザ識別情報を取得する取得ステップを、さらに実行させ、前記第２判定ステップは、前記ユーザ識別情報が示すユーザがカラオケのコマンダを利用中であるか、または、カラオケのコマンダとくくり付けられたリモコン装置に、前記ユーザ識別情報が示すユーザがログインしているかを判定し、前記許可ステップは、前記第１判定ステップにより動画撮影依頼が入力されたと判定され、且つ、前記第２判定ステップにより、前記ユーザ識別情報が示すユーザが、カラオケのコマンダを利用中である、または、カラオケのコマンダとくくり付けられたリモコン装置にログインしていると判定された場合、前記動画撮影機能による動画撮影を許可し、前記制限ステップは、前記第１判定ステップにより動画撮影依頼が入力されたと判定され、且つ、前記第２判定ステップにより、前記ユーザ識別情報が示すユーザが、カラオケのコマンダを利用中である、または、カラオケのコマンダとくくり付けられたリモコン装置にログインしていると判定されなかった場合、前記動画撮影機能による動画撮影を制限することを特徴とする。
【００１４】
請求項９に記載の発明によれば、前記携帯端末装置のコンピュータに、前記携帯端末装置のユーザが利用可能なコマンダにより演奏中であるかを判定する第３判定ステップを、さらに実行させ、前記許可ステップは、前記第１判定ステップにより動画撮影依頼が入力されたと判定され、且つ、前記第２判定ステップにより、前記携帯端末装置のユーザが、カラオケのコマンダを利用可能な状況であると判定され、且つ、前記第３判定ステップにより、前記携帯端末装置のユーザが利用可能なコマンダにより演奏中であると判定された場合、前記動画撮影機能による動画撮影を許可することを特徴とする。
【発明の効果】
【００１５】
請求項１に記載の発明によれば、許可手段は、第１判定手段により動画撮影依頼が入力されたと判定され、且つ、第２判定手段により、携帯端末装置のユーザが、カラオケのコマンダを利用可能な状況であると判定された場合、動画撮影機能による動画撮影を許可する。制限手段は、第１判定手段により動画撮影依頼が入力されたと判定され、且つ、第２判定手段により、携帯端末装置のユーザが、カラオケのコマンダを利用可能な状況であると判定されなかった場合、動画撮影機能による動画撮影を制限する。この結果、コマンダを利用可能な状況であるユーザの携帯端末装置以外の動画投稿を制限することができるため、不適切な動画の検閲の負担を減らすことができる。
【００１６】
請求項２に記載の発明によれば、許可手段は、第１判定手段により動画撮影依頼が入力されたと判定され、且つ、第２判定手段により携帯端末装置とカラオケのコマンダとがくくり付けられていると判定された場合、動画撮影機能による動画撮影を許可する。制限手段は、第１判定手段により動画撮影依頼が入力されたと判定され、且つ、第２判定手段により、携帯端末装置とカラオケのコマンダとがくくり付けられていると判定されなかった場合、動画撮影機能による動画撮影を制限する。この結果、コマンダとくくり付けられた携帯端末装置以外の動画投稿を制限することができるため、不適切な動画の検閲の負担を減らすことができる。
【００１７】
請求項３に記載の発明によれば、許可手段は、第１判定手段により動画撮影依頼が入力されたと判定され、且つ、第２判定手段により、ユーザ識別情報が示すユーザが、カラオケのコマンダを利用中である、または、カラオケのコマンダとくくり付けられたリモコン装置にログインしていると判定された場合、動画撮影機能による動画撮影を許可する。制限手段は、第１判定手段により動画撮影依頼が入力されたと判定され、且つ、第２判定手段により、ユーザ識別情報が示すユーザが、カラオケのコマンダを利用中である、または、カラオケのコマンダとくくり付けられたリモコン装置にログインしていると判定されなかった場合、動画撮影機能による動画撮影を制限する。従って、携帯端末装置のユーザ識別情報により確認されたコマンダを利用中のユーザまたはリモコン装置にログインしているユーザの携帯端末装置を決定することができる。この結果、コマンダまたはリモコン装置を利用中のユーザの携帯端末装置以外の動画投稿を制限することができるため、不適切な動画の検閲の負担を減らすことができる。
【００１８】
請求項４に記載の発明によれば、許可手段は、第１判定手段により動画撮影依頼が入力されたと判定され、且つ、第２判定手段により、携帯端末装置のユーザが、カラオケのコマンダを利用可能な状況であると判定され、且つ、第３判定手段により、携帯端末装置のユーザが利用可能なコマンダにより演奏中であると判定された場合、動画撮影機能による動画撮影を許可する。この結果、コマンダを利用可能な状況であり、且つ、歌唱中であるユーザの携帯端末装置以外の動画投稿を制限することができるため、不適切な動画の検閲の負担を減らすことができる。
【００１９】
請求項５に記載の発明によれば、許可ステップは、第１判定ステップにより動画撮影依頼が入力されたと判定され、且つ、第２判定ステップにより、携帯端末装置のユーザが、カラオケのコマンダを利用可能な状況であると判定された場合、動画撮影機能による動画撮影を許可する。制限ステップは、第１判定ステップにより動画撮影依頼が入力されたと判定され、且つ、第２判定ステップにより、携帯端末装置のユーザが、カラオケのコマンダを利用可能な状況であると判定されなかった場合、動画撮影機能による動画撮影を制限する。この結果、コマンダを利用可能な状況であるユーザの携帯端末装置以外の動画投稿を制限することができるため、不適切な動画の検閲の負担を減らすことができる。
【００２０】
請求項６に記載の発明によれば、許可ステップは、第１判定ステップにより動画撮影依頼が入力されたと判定され、且つ、第２判定手段により、携帯端末装置のユーザが、カラオケのコマンダを利用可能な状況であると判定された場合、動画撮影機能による動画撮影を許可する。制限ステップは、第１判定ステップにより動画撮影依頼が入力されたと判定され、且つ、第２判定ステップにより、携帯端末装置のユーザが、カラオケのコマンダを利用可能な状況であると判定されなかった場合、動画撮影機能による動画撮影を制限する。この結果、コマンダを利用可能な状況であるユーザの携帯端末装置以外の動画投稿を制限することができるため、不適切な動画の検閲の負担を減らすことができる。
【００２１】
請求項７に記載の発明によれば、許可ステップは、第１判定ステップにより動画撮影依頼が入力されたと判定され、且つ、第２判定ステップにより携帯端末装置とカラオケのコマンダとがくくり付けられていると判定された場合、動画撮影機能による動画撮影を許可する。制限ステップは、第１判定ステップにより動画撮影依頼が入力されたと判定され、且つ、第２判定ステップにより携帯端末装置とカラオケのコマンダとがくくり付けられていると判定されなかった場合、動画撮影機能による動画撮影を制限する。この結果、コマンダとくくり付けられた携帯端末装置以外の動画投稿を制限することができるため、不適切な動画の検閲の負担を減らすことができる。
【００２２】
請求項８に記載の発明によれば、許可ステップは、第１判定ステップにより動画撮影依頼が入力されたと判定され、且つ、第２判定ステップにより、ユーザ識別情報が示すユーザが、カラオケのコマンダを利用中である、または、カラオケのコマンダとくくり付けられたリモコン装置にログインしていると判定された場合、動画撮影機能による動画撮影を許可する。制限ステップは、第１判定ステップにより動画撮影依頼が入力されたと判定され、且つ、第２判定ステップにより、ユーザ識別情報が示すユーザが、カラオケのコマンダを利用中である、または、カラオケのコマンダとくくり付けられたリモコン装置にログインしていると判定されなかった場合、動画撮影機能による動画撮影を制限する。従って、携帯端末装置のユーザ識別情報により確認されたコマンダを利用中のユーザまたはリモコン装置にログインしているユーザの携帯端末装置を決定することができる。この結果、コマンダまたはリモコン装置を利用中のユーザの携帯端末装置以外の動画投稿を制限することができるため、不適切な動画の検閲の負担を減らすことができる。
【００２３】
請求項９に記載の発明によれば、許可ステップは、第１判定ステップにより動画撮影依頼が入力されたと判定され、且つ、第２判定ステップにより、携帯端末装置のユーザが、カラオケのコマンダを利用可能な状況であると判定され、且つ、第３判定ステップにより、携帯端末装置のユーザが利用可能なコマンダにより演奏中であると判定された場合、動画撮影機能による動画撮影を許可する。この結果、コマンダを利用可能な状況であり、且つ、歌唱中であるユーザの携帯端末装置以外の動画投稿を制限することができるため、不適切な動画の検閲の負担を減らすことができる。
【図面の簡単な説明】
【００２４】
【図１】第１の実施形態のカラオケシステムＳの概要構成図である。
【図２】第１の実施形態の携帯端末装置Ｋ１による動画投稿方法の説明を示す説明図である。
【図３】第１の実施形態のリモコン１、コマンダ２、センターサーバ３、及び、携帯端末装置Ｋ１の電気的構成の概念図である。
【図４】第１の実施形態のリモコン１の動作を示すフローチャートである。
【図５】第１の実施形態のセンターサーバ３の動作を示すフローチャートである。
【図６】第１の実施形態の携帯端末装置Ｋ１の動作を示すフローチャートである。
【図７】第２の実施形態の携帯端末装置Ｋ１による動画投稿方法の説明を示す説明図である。
【図８】第２の実施形態のコマンダ２の動作を示すフローチャートである。
【図９】第２の実施形態の携帯端末装置Ｋ１の動作を示すフローチャートである。
【発明を実施するための最良の形態】
【００２５】
［第１の実施形態］
以下、図面に沿って、本発明を適用した第１の実施形態について説明する。
【００２６】
［１．カラオケシステムの構成及び動作の概要］
始めに、図１を参照して、第１の実施形態のカラオケシステムの構成の概要について説明する。図１は、第１実施形態に係るカラオケシステムＳの構成を表す図である。なお、図１は、カラオケ店舗ＫＳの中に設置された複数のカラオケルームの中で、カラオケルームＫＲを１室示した例を用いている。また、図１の例では、カラオケルームＫＲに、リモコン１及びコマンダ２が夫々１台ずつ設置されている。なお、カラオケルームＫＲに、リモコン１は複数台設置されても良い。一般的にカラオケ店舗ＫＳには、複数のカラオケルームが設定されている。
【００２７】
図１に示すように、カラオケシステムＳは、リモコン１と、コマンダ２と、センターサーバ３を含んで構成される。リモコン１は、カラオケ曲の選曲または検索に用いられる選曲装置である。リモコン１は、カラオケ店舗ＫＳに備えられたアクセスポイントＡＰ及びブロードバンドルータＢＲを介して、無線通信によりネットワークに接続される。これにより、リモコン１は、ネットワークを介してコマンダ２及びセンターサーバ３と通信が可能になる。リモコン１は、赤外線によりコマンダ２へ、カラオケ曲の予約を依頼する。リモコン１には、リモコンＩＤが付与されている。リモコンＩＤは、リモコン１を識別するための識別情報である。リモコンＩＤは、リモコン１を一意に特定できる情報であれば、どのような情報であってもよい。例えばリモコン１に割り当てられたＩＰアドレスがリモコンＩＤとされても良い。
【００２８】
コマンダ２は、リモコン１により依頼された予約に基づいて、カラオケ曲の再生処理を行う。コマンダには、夫々コマンダＩＤが付与される。コマンダＩＤは、コマンダを夫々識別するための情報である。コマンダＩＤは、コマンダ２を一意に特定できる情報であれば、どのような情報であってもよい。例えばコマンダ２に割り当てられたＩＰアドレスがコマンダＩＤとされても良い。
【００２９】
第１の実施形態では、ユーザが個人で所有する携帯端末装置から、カラオケ曲の予約を含む設定処理を、コマンダへ依頼することが可能である。図１に示すように、ユーザＹ１〜Ｙ３が夫々所有する携帯端末装置Ｋ１〜Ｋ３を用いて、コマンダ２へカラオケ曲の予約を依頼することができる。また、ユーザＹ１〜Ｙ３が夫々所有する携帯端末装置Ｋ１〜Ｋ３を用いて、コマンダ２へ音量及び音質の調整または画像調整を依頼することができる。この場合、携帯端末装置Ｋ１〜Ｋ３は、携帯基地局Ｃを介してネットワークへ接続可能になっている。
【００３０】
センターサーバ３は、カラオケ店舗ＫＳに設置されたコマンダとリモコンとのくくり付け情報を記憶する。また、センターサーバ３は、カラオケ店舗ＫＳに設置されたコマンダと携帯端末装置とのくくり付け情報を記憶する。なお、くくり付け情報の詳細は後述する。センターサーバ３は、くくり付け情報に基づいて、リモコン１から送信された予約依頼を、リモコン１とくくり付けられたコマンダ２へ送信する。また、センターサーバ３は、くくり付け情報に基づいて、携帯端末装置Ｋ１〜Ｋ３から送信された予約依頼を、携帯端末装置Ｋ１〜Ｋ３とくくり付けられたコマンダ２へ送信する。
【００３１】
［２．携帯端末装置Ｋ１による動画投稿方法］
以下、図２を用いて、第１の実施形態の携帯端末装置Ｋ１による動画投稿方法について説明する。図２は、第１の実施形態の携帯端末装置Ｋ１による動画投稿方法を説明する説明図である。図２に示す例では、センターサーバ３は、コマンダ２のコマンダＩＤと、コマンダ２とくくり付けられたリモコン１のリモコンＩＤとを対応付けて、くくり付け情報として記憶している。これにより、センターサーバ３は、コマンダ２がくくり付けられているリモコンが、リモコン１であることを把握することができる。
【００３２】
まず、携帯端末装置Ｋ１が、携帯端末装置Ｋ１とくくり付けられるコマンダ２のコマンダＩＤを取得する（図２：（１））。コマンダＩＤは、例えば、ユーザにより入力されても良い。また、各カラオケルームに、コマンダＩＤを含むＱＲコードが張られても良い。この場合、携帯端末装置Ｋ１に備えられたカメラによって、ＱＲコードが読み取られる。読み取られたＱＲコードが含むコマンダＩＤが、携帯端末装置Ｋ１に取得される。
【００３３】
次に、携帯端末装置Ｋ１は、取得したコマンダＩＤと、携帯端末装置Ｋ１のユーザを識別するユーザ識別情報とをセンターサーバ３へ送信する（図２：（２））。ユーザ識別情報は、ユーザを識別する情報である。例えば、カラオケサービスを利用するユーザ夫々を識別可能な情報が、ユーザ識別情報である。そして、センターサーバ３がコマンダＩＤを受信すると、センターサーバ３は、携帯端末装置Ｋ１とコマンダとのくくり付け処理を実行する（図２：（３））。第１の実施形態のくくり付け処理は、センターサーバ３が受信したユーザ識別情報と、コマンダＩＤとを対応付けて、センターサーバ３の記憶部にくくり付け情報として記憶することである。これにより、携帯端末装置Ｋ１から送信された情報をセンターサーバ３が受信すると、携帯端末装置Ｋ１とくくり付けられたコマンダ２へ、センターサーバ３は情報を転送することができる。これは、センターサーバ３が、コマンダＩＤと、コマンダＩＤにより識別されるコマンダのＩＰアドレスとを対応付けて記憶しているためである。これにより、センターサーバ３は、コマンダＩＤに基づいて通信するコマンダを決定し、通信することができる。センターサーバ３によるくくり付け処理が完了した後に、携帯端末装置Ｋ１は、コマンダ２に向けて楽曲の予約処理を含む設定処理が実行可能になる。楽曲の予約処理を実行する場合、まず、携帯端末装置Ｋ１は、予約する楽曲を示す楽曲識別情報と携帯端末装置Ｋ１のユーザのユーザ識別情報とを、センターサーバ３に向けて送信する。そして、携帯端末装置Ｋ１から楽曲識別情報とユーザ識別情報とを受信すると、センターサーバ３は、受信したユーザ識別情報とくくり付け情報とに基づいて、楽曲識別情報を転送するコマンダを決定する。具体的には、くくり付け情報の中で、受信したユーザ識別情報と対応付けられたコマンダＩＤを、くくり付け情報の中から、センターサーバ３が決定する。決定されたコマンダＩＤのコマンダ２に向けて、センターサーバ３は、受信した楽曲識別情報を転送する。これにより、携帯端末装置Ｋ１により、コマンダ２へ楽曲予約を行うことが可能になる。なお、携帯端末装置Ｋ１とコマンダ２とをくくり付ける方法として、図２の（１）から（３）の処理以外の方法が用いられても良い。
【００３４】
携帯端末装置Ｋ１とコマンダとのくくり付け処理（図２：（３））が実行された後に、センターサーバ３は、コマンダ２とくくり付けられた携帯端末装置Ｋ１へ、くくり付けが完了したことを示す完了通知を送信する（図２：（４））。第１の実施形態では、携帯端末装置Ｋ１は、コマンダとのくくり付けが完了したことに基づいて、ネットワークへ動画投稿することが可能になる。例えば、くくり付けが完了した携帯端末装置Ｋ１は、センターサーバ３への動画投稿が許可される。一方、コマンダとのくくり付けが完了していない携帯端末装置は、センターサーバ３への動画投稿が許可されないことになる。これにより、コマンダを利用可能な状況であるユーザの携帯端末装置以外の動画投稿を制限することができるため、不適切な動画の検閲の負担を減らすことができる。
【００３５】
［４．電気的構成概要］
図３は、第１の実施形態のカラオケシステムＳを構成するリモコン１、コマンダ２及びセンターサーバ３と、携帯端末装置Ｋ１の電気的構成を説明する説明図である。
【００３６】
［４．１  コマンダ２の電気的構成］
図３に示すように、コマンダ２は、制御部２１と、ＬＡＮインターフェース部２２と、記憶部２３と、操作処理部２６と、シンセサイザ２７と、ビデオＲＡＭ３１と、映像再生部３２と、映像制御部３３とを備える。
【００３７】
制御部２１は、ＬＡＮインターフェース部２２と、記憶部２３と、操作処理部２６と、シンセサイザ２７と、ビデオＲＡＭ３１と、映像再生部３２と、映像制御部３３と電気的に接続される。制御部２１は、コマンダ２の各種構成を制御する。制御部２１は、例えば、ＣＰＵ及びＲＡＭ等から構成されるコントローラである。なお、制御部２１は、計時動作を実行可能である。制御部２１により、現在の時刻を示す時刻情報が取得される。
【００３８】
ＬＡＮインターフェース部２２は、コマンダ２とネットワークと接続する。ＬＡＮインターフェース部２２により、コマンダ２は、ブロードバンドルータＢＲまたはアクセスポイントＡＰを介してインターネットにより、リモコン１、センターサーバ３及び携帯端末装置と通信可能になる。
【００３９】
操作処理部２６は、操作部２４と、赤外線受信部２５と電気的に接続される。操作部２４は、コマンダ２のユーザにより操作される。操作部２４により操作され、入力された信号が操作処理部２６に出力される。また、赤外線受信部２５は、リモコン１により送信された赤外線を受信する。受信された赤外線の信号は、操作処理部２６に出力される。操作処理部２６は、出力された夫々の信号にも基づいて、操作内容を決定する。決定された操作内容に基づいて、制御部２１は、コマンダ２を制御する。
【００４０】
記憶部２３は、コマンダ２で出力する楽曲データ及び映像データを記憶する。また、記憶部２３、コマンダ２に付与されたコマンダＩＤを記憶する。記憶部２３は、例えば、ＨａｒｄＤｉｓｋ（ＨＤ）等の高容量の記憶媒体である。操作処理部２６により決定された操作内容に基づいて、記憶部２３に記憶された楽曲データまたは映像データが制御部２１により読み出される。そして、記憶部２３に記憶された映像データに従って、制御部２１は、ビデオＲＡＭ３１または映像再生部３２または映像制御部３３に、映像を出力させる指令を送信する。
【００４１】
図３に示すように、制御部２１は、ビデオＲＡＭ３１と映像再生部３２と、映像制御部３３とに電気的に接続される。また、映像制御部３３は、表示部３４と電気的に接続される。なお、第１の実施形態では、コマンダ２の外部に設置された表示部３４と電気的に接続される。ビデオＲＡＭ３１は、読み出された映像データを一時記憶する。制御部２１により出力される指令に従って、映像再生部３２は、ビデオＲＡＭ３１に一時記憶された映像データを、表示部３４に出力させる信号に変換する。変換された信号は、映像制御部３３に送信される。制御部２１により送信された指令に従って、映像制御部３３は、表示部３４に映像を表示させる指令を送信する。映像制御部３３は、映像再生部３２により送信された信号に基づいて、表示部３４に所定の映像を表示させる。表示部３４は、例えば、ディスプレイである。
【００４２】
また、記憶部２３に記憶された楽曲データに従って、制御部２１は楽曲データを出力させる指令を、シンセサイザ２７に送信する。そして、制御部２１により送信された指令に従って、シンセサイザ２７は、楽曲データに基づいて音信号を生成する。音信号は、ミキシングアンプ３０を介してスピーカ２９により音を出力させるための信号である。図３に示すように、シンセサイザ２７は、ミキシングアンプ３０と電気的に接続される。また、ミキシングアンプ３０は、マイク制御部２８とスピーカ２９とに電気的に接続される。
【００４３】
マイク制御部２８は、図示しないマイクと接続される。マイクにより入力された情報に基づいて、マイク制御部２８は、音声信号を生成する。マイク制御部２８は、生成された音声信号をミキシングアンプ３０に出力する。マイク制御部２８により送信された音声信号またはシンセサイザ２７により送信された音信号に基づいて、ミキシングアンプ３０は、マイクにより入力された音声または楽曲データの音をスピーカ２９により出力させる。マイク制御部２８により送信された音声信号とシンセサイザ２７により送信された音信号との両方が、ミキシングアンプ３０に送信された場合、ミキシングアンプ３０は、マイクにより入力された音声と楽曲データの音とを合成してスピーカ２９により出力させる。
【００４４】
制御部２１は、撮影ユニット３８とさらに電気的に接続される。なお、第１の実施形態では、コマンダ２の外部に設置された撮影ユニット３８と電気的に接続される。撮影ユニット３８は、例えば、動画画像が撮影可能なカメラである。撮影ユニット３８で撮影された動画が、センターサーバ３へアップロードされる。
【００４５】
［４．２  リモコン１の電気的構成］
図３に示すように、リモコン１は、制御部１１と、赤外線送信部１２と、メモリ１３と、操作処理部１６と、ビデオＲＡＭ１７と、映像制御部１８と、無線ＬＡＮ通信部１９とを備える。制御部１１は、赤外線送信部１２と、メモリ１３と、操作処理部１６と、ビデオＲＡＭ１７と、映像制御部１８と、無線ＬＡＮ通信部１９と電気的に接続される。制御部１１は、リモコン１の各種構成を制御する。制御部１１は、例えば、ＣＰＵ及びＲＡＭ等から構成されるコントローラである。なお、制御部１１は、計時動作を実行可能である。制御部１１により、現在の時刻を示す時刻情報が取得される。
【００４６】
操作処理部１６は、操作部１５と電気的に接続される。操作部１５は、リモコン１のユーザにより操作される。操作部１５は、例えば、タッチパネルである。タッチパネルにより入力された位置情報が操作処理部１６に出力される。操作処理部１６は、入力された位置情報に基づいて操作内容を決定する。決定された操作内容が、制御部１１に出力される。
【００４７】
赤外線送信部１２は、コマンダ２に向けて赤外線を送信する。具体的には、操作処理部１６により決定された操作内容が、赤外線送信部１２によりコマンダ２に向けて送信される。リモコン１の操作部１５がユーザにより操作されることで、所定の操作信号が、リモコン１からコマンダ２に送信される。例えば、リモコン１を操作することで、カラオケの楽曲が予約される。そのため、リモコン１から、予約されたカラオケの楽曲を示す操作信号がコマンダ２に送信される。コマンダ２は、操作信号を受信すると、操作信号が含む楽曲を予約楽曲として制御部１１のＲＡＭ等に一時記憶する。
【００４８】
メモリ１３は、検索データ及び映像データを記憶する。第１の実施形態では、メモリ１３は、第１ログイン情報記憶領域１３１と、リモコンプログラム記憶領域１３２とを含む。第１ログイン情報記憶領域１３１は、リモコン１にログインしているユーザを識別するユーザ識別情報を記憶する。リモコン１にユーザがログインしている場合、ログインしているユーザを示すユーザ識別情報が、第１ログイン情報記憶領域１３１に記憶される。
【００４９】
リモコンプログラム記憶領域１３２は、リモコン１のプログラムが記憶される。リモコン１のプログラムは、リモコン１を制御するプログラムである。なお、リモコン１のプログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００５０】
メモリ１３は、例えば、不揮発性のＮＡＮＤ型のメモリである。メモリ１３に記憶される検索データは、カラオケシステムＳで配信される楽曲データを検索する情報である。検索データは、例えば、カラオケの電子早見本である。また、メモリ１３に記憶される映像データは、表示部１４により映像を表示させるための情報である。操作処理部１６により決定された操作内容に基づいて、メモリ１３に記憶された映像データが制御部１１により読み出される。そして、メモリ１３に記憶された映像データに従って、制御部１１は、ビデオＲＡＭ１７または映像制御部１８に、映像を出力させる指令を送信する。図３に示すように、制御部１１は、ビデオＲＡＭ１７と映像制御部１８とに電気的に接続される。また、映像制御部１８は、表示部１４と電気的に接続される。ビデオＲＡＭ１７は、読み出された映像データを一時記憶する。制御部１１により出力される指令に従って、映像制御部１８は、ビデオＲＡＭ１７に一時記憶された映像データを、表示部に出力させる信号に変換する。映像制御部１８は、変換した信号を表示部１４に表示させる指令を送信する。映像制御部１８は、変換した信号に基づいて、表示部１４に所定の映像を表示させる。表示部１４は、例えば、ディスプレイである。
【００５１】
無線ＬＡＮ通信部１９は、各カラオケ店舗等に設置されたアクセスポイントＡＰに無線により接続される。無線ＬＡＮ通信部１９は、例えば、公知の無線チップである。アクセスポイントＡＰは、例えば、無線ＬＡＮである。また、アクセスポイントＡＰは、ブロードバンドルータＢＲを介してＷＡＮ等のインターネットと接続可能である。また、リモコン１は、アクセスポイントＡＰを介して、カラオケ店舗内のＬＡＮ及びインターネットに接続される。これにより、リモコン１は、コマンダ２、センターサーバ３及び携帯端末装置に情報を送受信可能となる。
【００５２】
［４．３  センターサーバ３の電気的構成］
図３に示すように、センターサーバ３は、制御部３５と、ＬＡＮインターフェース部３６と、記憶部３７とを備える。
【００５３】
制御部３５は、ＬＡＮインターフェース部３６と、記憶部３７と電気的に接続される。制御部３５は、センターサーバ３の各種構成を制御する。制御部３５は、例えば、ＣＰＵ及びＲＡＭ等から構成されるコントローラである。このため、制御部３５は、本発明のコンピュータとして機能する。なお、制御部３５は、計時動作を実行可能である。制御部３５により、現在の時刻を示す時刻情報が取得される。
【００５４】
ＬＡＮインターフェース部３６は、センターサーバ３とネットワークと接続する。ＬＡＮインターフェース部３６により、センターサーバ３は、ブロードバンドルータＢＲまたはアクセスポイントＡＰを介してインターネットにより、リモコン１、コマンダ２及び携帯端末装置と通信可能になる。
【００５５】
記憶部３７は、例えば、ＨａｒｄＤｉｓｋ（ＨＤ）等の高容量の記憶媒体である。記憶部３７は、くくり付け情報記憶領域３７１と、投稿情報記憶領域３７２と、センターサーバプログラム記憶領域３７３とを含む。
【００５６】
くくり付け情報記憶領域３７１は、くくり付け情報を記憶する。第１の実施形態では、センターサーバ３は、くくり付け情報として、リモコンとコマンダのくくり付け、及び、携帯端末装置とコマンダとのくくり付けとを記憶する。また、くくり付け情報記憶領域３７１は、くくり付け情報が記憶された時刻を示す時刻情報を、くくり付け情報と対応付けて記憶する。
【００５７】
投稿情報記憶領域３７２は、投稿情報を記憶する。投稿情報は、コマンダ２または携帯端末装置Ｋ１の撮影ユニット３８により撮影されて投稿される情報である。投稿される情報は、例えば、動画である。動画以外に静止画が投稿されても良い。また、音声情報を含む動画が投稿されても良いし、音声情報と動画とが夫々別のファイルで、投稿情報として投稿されても良い。投稿情報記憶領域３７２は、投稿情報と、ユーザ識別情報とを対応付けて記憶する。投稿情報は、センターサーバ３以外のサーバに投稿されても良い。
【００５８】
センターサーバプログラム記憶領域３７３は、センターサーバ３のプログラムが記憶される。センターサーバ３のプログラムは、センターサーバ３を制御するプログラムである。なお、センターサーバ３のプログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００５９】
［４．４  携帯端末装置Ｋ１の電気的構成］
図３に示すように、携帯端末装置Ｋ１は、制御部５２と、メモリ５３と、操作処理部５６と、ビデオＲＡＭ５７と、映像制御部５８と、撮影ユニット５９と、無線通信部５１とを備える。制御部５２は、メモリ５３と、操作処理部５６と、ビデオＲＡＭ５７と、映像制御部５８と、撮影ユニット５９と、無線通信部５１と電気的に接続される。制御部５２は、携帯端末装置Ｋ１の各種構成を制御する。制御部５２は、例えば、ＣＰＵ及びＲＡＭ等から構成されるコントローラである。なお、制御部５２は、計時動作を実行可能である。制御部５２により、現在の時刻を示す時刻情報が取得される。
【００６０】
操作処理部５６は、操作部５５と電気的に接続される。操作部５５は、携帯端末装置Ｋ１のユーザにより操作される。操作部１５は、例えば、タッチパネルである。タッチパネルにより入力された位置情報が操作処理部５６に出力される。操作処理部５６は、入力された位置情報に基づいて操作内容を決定する。決定された操作内容が、制御部５２に出力される。
【００６１】
メモリ５３は、検索データ及び映像データを記憶する。メモリ５３に記憶される検索データは、例えば、センターサーバ３から取得される。第１の実施形態では、メモリ５３は、コマンダＩＤ記憶領域５３１と、許可情報記憶領域５３２と、携帯端末プログラム記憶領域５３３とを含む。コマンダＩＤ記憶領域５３１は、携帯端末装置Ｋ１が取得したコマンダＩＤを記憶する。第１の実施形態では、携帯端末装置Ｋ１とくくり付けられるコマンダのコマンダＩＤが取得される。コマンダＩＤは、例えば、ユーザにより入力されても良い。また、各カラオケルームに、コマンダＩＤを含むＱＲコードが張られても良い。この場合、携帯端末装置Ｋ１に備えられたカメラによって、ＱＲコードが読み取られる。読み取られたＱＲコードが含むコマンダＩＤが、携帯端末装置Ｋ１に取得されてコマンダＩＤ記憶領域５３１に記憶される。また、コマンダ２の表示部３４、または、リモコン１の表示部１４にＱＲコードが表示されても良い。また、コマンダ２の表示部３４、または、リモコン１の表示部１４にコマンダＩＤが表示されても良い。
【００６２】
許可情報記憶領域５３２は、センターサーバ３から取得したくくり付けの完了通知を、許可情報として記憶する。許可情報記憶領域５３２に記憶される許可情報に基づいて、携帯端末装置Ｋ１は、動画投稿が可能か否かを判定する。
【００６３】
携帯端末プログラム記憶領域５３３は、携帯端末装置Ｋ１のプログラムが記憶される。携帯端末装置Ｋ１のプログラムは、携帯端末装置Ｋ１を制御するプログラムである。なお、携帯端末装置Ｋ１のプログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００６４】
メモリ５３は、例えば、不揮発性のＮＡＮＤ型のメモリである。メモリ５３に記憶される検索データは、カラオケシステムＳで配信される楽曲データを検索する情報である。検索データは、例えば、カラオケの電子早見本である。携帯端末装置Ｋ１は、検索データをセンターサーバ３から取得する。また、メモリ５３に記憶される映像データは、表示部５４により映像を表示させるための情報である。操作処理部５６により決定された操作内容に基づいて、メモリ５３に記憶された映像データが制御部５２により読み出される。そして、メモリ５３に記憶された映像データに従って、制御部５２は、ビデオＲＡＭ５７または映像制御部５８に、映像を出力させる指令を送信する。図３に示すように、制御部５２は、ビデオＲＡＭ５７と映像制御部５８とに電気的に接続される。また、映像制御部５８は、表示部５４と電気的に接続される。ビデオＲＡＭ５７は、読み出された映像データを一時記憶する。制御部５２により出力される指令に従って、映像制御部５８は、ビデオＲＡＭ５７に一時記憶された映像データを、表示部に出力させる信号に変換する。映像制御部５８は、変換した信号を表示部５４に表示させる指令を送信する。映像制御部５８は、変換した信号に基づいて、表示部５４に所定の映像を表示させる。表示部５４は、例えば、ディスプレイである。
【００６５】
無線通信部５１は、携帯基地局Ｃを介してネットワークへ接続可能な無線チップである。無線通信部５１により携帯端末装置Ｋ１は、携帯基地局Ｃを介してネットワークへ接続できる。これにより、携帯端末装置Ｋ１は、ネットワークを介して、リモコン１、コマンダ２およびセンターサーバ３に情報を送受信可能となる。
【００６６】
制御部５２は、撮影ユニット５９とさらに電気的に接続される。撮影ユニット５８は、例えば、動画画像が撮影可能なカメラである。撮影ユニット５８で撮影された動画が、センターサーバ３へアップロードされる。
【００６７】
［５．リモコン１の動作］
以上説明した構成からなる第１の実施形態のリモコン１の動作及び作用について、添付図面を参照して説明する。まず、リモコン１の動作及び作用について、添付図面を参照して説明する。図４は、リモコン１における動作の処理手順を示すフローチャートである。リモコン１の動作は、リモコン１の電源がオンにされたことにより、遂行される。以下に示す処理は、制御部１１により処理される。まず、ステップＳ１０１では、くくり付けの依頼があったか否かが判定される。第１の実施形態では、リモコン１の操作部１５により、くくり付けの依頼要求が入力される。コマンダとのくくり付けの依頼要求があったと判定された場合（ステップＳ１０１：ＹＥＳ）、ステップＳ１０２が実行される。コマンダとのくくり付けの依頼要求があったと判定されなかった場合（ステップＳ１０１：ＮＯ）、ステップＳ１０５が実行される。
【００６８】
ステップＳ１０２では、コマンダとのくくり付け依頼が、コマンダ２に向けて依頼される。具体的には、ステップＳ１０２では、リモコン１からコマンダ２へ、リモコン１のＩＰアドレスが赤外線により送信される。また、ステップＳ１０２で依頼した時刻が、制御部１１のＲＡＭに記憶される。以下、本実施形態のリモコン１とコマンダ２とのくくり付け方法について説明する。赤外線により送信されたリモコン１のＩＰアドレスは、コマンダ２により受信される。これにより、コマンダ２は、コマンダ２とくくり付けようとしているリモコン１のＩＰアドレスを知ることができる。そして、コマンダ２は、受信したリモコン１のＩＰアドレスを宛先として、ネットワークを介してコマンダ２のＩＰアドレスを送信する。これにより、リモコン１は、リモコン１とくくり付けられるコマンダ２のＩＰアドレスを知ることができる。これにより、リモコン１とコマンダ２とがくくり付けられて、リモコン１からコマンダ２に向けてネットワークを介して、各種操作指令を送信することができる。なお、リモコン１とコマンダ２とのくくり付け方法は、例えば、特開２００９−１８１０２０及び特開２００９−２８８６９０等で公知である。そして、リモコン１は、くくり付けられたコマンダ２のコマンダＩＤと、リモコン１のリモコンＩＤとを含むくくり付け完了通知がセンターサーバ３へ送信される。
【００６９】
ステップＳ１０３では、コマンダ２からコマンダ２のＩＰアドレスが受信されたか否かが判定される。コマンダ２のＩＰアドレスが受信されたと判定された場合（ステップＳ１０３：ＹＥＳ）、センターサーバ３へ、くくり付け完了通知が送信されると共に、ステップＳ１０５が実行される。コマンダ２のＩＰアドレスが受信されたと判定されなかった場合（ステップＳ１０３：ＮＯ）、ステップＳ１０４が実行される。
【００７０】
ステップＳ１０４では、ステップＳ１０２で記憶した時刻から、所定時間が経過したか否かが判定される。所定時間が経過したと判定された場合（ステップＳ１０４：ＹＥＳ）、くくり付けの依頼が失敗したとして、再度、ステップＳ１０２が実行される。一方、所定時間が経過したと判定されなかった場合（ステップＳ１０４：ＮＯ）、ステップＳ１０３が再度実行される。
【００７１】
ステップＳ１０５では、リモコン１のユーザからログイン依頼が要求されたか否かが判定される。ログイン依頼が要求されたと判定された場合（ステップＳ１０５：ＹＥＳ）、ステップＳ１０６が実行される。ログイン依頼が要求されたと判定されなかった場合（ステップＳ１０５：ＮＯ）、ステップＳ１０７が実行される。
【００７２】
ステップＳ１０６では、ステップＳ１０５で要求されたログイン依頼が含むユーザ識別情報を用いて、リモコン１へのログイン処理が実行される。ログイン処理が実行されることで、ログイン依頼が含むユーザ識別情報が、第1ログイン情報記憶領域１３１へ記憶される。そして、ログイン処理が実行されることで、リモコン１は、受信したユーザ識別情報に対応する個人情報を、センターサーバ３から取得する。取得された個人情報が、メモリ１３の所定の記憶領域に記憶される。そして、ログイン処理が完了したユーザのユーザ識別情報と、ログイン処理を実行したリモコンのリモコンＩＤとがセンターサーバ３へ送信されることになる。
【００７３】
ステップＳ１０７では、リモコン１のユーザからログアウト依頼が要求されたか否かが判定される。ログアウト依頼が要求されたと判定された場合（ステップＳ１０７：ＹＥＳ）、ステップＳ１０８が実行される。ログアウト依頼が要求されたと判定されなかった場合（ステップＳ１０７：ＮＯ）、ステップＳ１０９が実行される。
【００７４】
ステップＳ１０８では、ステップＳ１０７で要求されたログアウト依頼が含むユーザ識別情報を用いて、ログアウト処理が実行される。ログアウト処理が実行されることで、ログアウト依頼が含むユーザ識別情報が、第1ログイン情報記憶領域１３１から削除される。そして、ログアウト処理が実行されることで、受信したユーザ識別情報に対応する個人情報が、メモリ１３の所定の記憶領域から削除される。そして、ログアウト処理が完了したユーザのユーザ識別情報と、ログアウト処理を実行したリモコンのリモコンＩＤとがセンターサーバ３へ送信されることになる。
【００７５】
ステップＳ１０９では、コマンダとのくくり付けの解除要求があったか否かが判定される。第１の実施形態では、リモコン１の操作部１５により、くくり付けの解除要求が入力される。コマンダとのくくり付けの解除要求があったと判定された場合（ステップＳ１０９：ＹＥＳ）、ステップＳ１１０が実行される。コマンダとのくくり付けの解除要求があったと判定されなかった場合（ステップＳ１０９：ＮＯ）、ステップＳ１１１が実行される。
【００７６】
ステップＳ１１０では、コマンダとのくくり付け解除の要求がセンターサーバ３へ送信される。具体的には、リモコン１のリモコンＩＤを含むくくり付け解除の要求が、センターサーバ３へ送信される。
【００７７】
ステップＳ１１１では、リモコン１の電源がオフにされたか否かが判定される。リモコン１の電源がオフにされたと判定された場合（ステップＳ１１１：ＹＥＳ）、リモコン１の動作は終了される。リモコン１の電源がオフにされたと判定されなかった場合（ステップＳ１１１：ＮＯ）、ステップＳ１０１が実行される。
【００７８】
［６．センターサーバ３の動作］
以上説明した構成からなる第１の実施形態のセンターサーバ３の動作及び作用について、添付図面を参照して説明する。まず、センターサーバ３の動作及び作用について、添付図面を参照して説明する。図５は、センターサーバ３における動作の処理手順を示すフローチャートである。センターサーバ３の動作は、センターサーバ３の電源がオンにされたことにより、遂行される。以下に示す処理は、制御部３５により処理される。
【００７９】
まず、ステップＳ２０１では、リモコン１のステップＳ１０３でコマンダ２のＩＰアドレスが取得されたことに基づいて送信されたくくり付け完了通知が受信されたか否かが判定される。くくり付け完了通知が受信されたと判定された場合（ステップＳ２０１：ＹＥＳ）、ステップＳ２０２が実行される。くくり付け完了通知が受信されたと判定されなかった場合（ステップＳ２０１：ＮＯ）、ステップＳ２０３が実行される。
【００８０】
ステップＳ２０２では、リモコン１のくくり付け処理が実行される。受信したくくり付け完了通知が含むリモコンＩＤと、コマンダＩＤとが対応付けられて、くくり付け情報記憶領域３７１に記憶される。  
【００８１】
ステップＳ２０３では、携帯端末装置からくくり付けの依頼が受信されたか否かが判定される。くくり付けの依頼が受信されたと判定された場合（ステップＳ２０３：ＹＥＳ）、ステップＳ２０４が実行される。くくり付けの依頼が受信されたと判定されなかった場合（ステップＳ２０３：ＮＯ）、ステップＳ２０５が実行される。
【００８２】
ステップＳ２０４では、携帯端末装置とのくくり付け処理が実行される。具体的には、携帯端末装置から送信されたコマンダＩＤと、ユーザ識別情報とが対応付けられて、くくり付け情報記憶領域３７１に記憶される。記憶された後に、くくり付け完了通知が携帯端末装置Ｋ１に送信される。
【００８３】
ステップＳ２０５では、くくり付け情報記憶領域３７１に記憶された時刻情報と現在の時刻とを比較して、所定の時間が経過したくくり付け情報があるか否かが判定される。所定の時間が経過したくくり付け情報があると判定された場合（ステップＳ２０５：ＹＥＳ）、ステップＳ２０６が実行される。所定の時間が経過したくくり付け情報があると判定されなかった場合（ステップＳ２０５：ＮＯ）、ステップＳ２０７が実行される。
【００８４】
ステップＳ２０６では、所定時間が経過したくくり付け情報が、くくり付け情報記憶領域３７１から削除される。つまり、所定時間が経過した携帯端末装置とコマンダとのくくり付けが解除される。
【００８５】
ステップＳ２０７では、リモコン１からくくり付け解除の要求が受信されたか否かが判定される。ステップＳ２０７では、ステップＳ１１０で送信されたくくり付け解除の要求が受信されたか否かが判定される。くくり付け解除の要求が受信されたと判定された場合（ステップＳ２０７：ＹＥＳ）、ステップＳ２０８が実行される。くくり付け解除の要求が受信されたと判定されなかった場合（ステップＳ２０７：ＮＯ）、ステップＳ２０９が実行される。
【００８６】
ステップＳ２０８では、リモコンのくくり付けが解除される。具体的には、ステップＳ２０７で受信したくくり付け解除の要求が含むリモコンＩＤが決定される。決定されたリモコンＩＤとくくり付けられているコマンダとのくくり付け情報が、くくり付け情報記憶領域３７１から削除される。つまり、リモコンとコマンダとのくくり付けが解除される。
【００８７】
ステップＳ２０９では、センターサーバ３の電源がオフにされたか否かが判定される。センターサーバ３の電源がオフにされたと判定された場合（ステップＳ２０９：ＹＥＳ）、センターサーバ３の動作は終了される。センターサーバ３の電源がオフにされたと判定されなかった場合（ステップＳ２０９：ＮＯ）、ステップＳ２０１が実行される。
【００８８】
［７．携帯端末装置Ｋ１の動作］
以上説明した構成からなる第１の実施形態の携帯端末装置Ｋ１の動作及び作用について、添付図面を参照して説明する。携帯端末装置Ｋ１の動作及び作用について、添付図面を参照して説明する。図６は、携帯端末装置Ｋ１における動作の処理手順を示すフローチャートである。携帯端末装置Ｋ１の動作は、携帯端末装置Ｋ１の電源がオンにされたことにより、遂行される。以下に示す処理は、制御部５２により処理される。
【００８９】
ステップＳ３０１では、所定のアプリケーションが起動されたか否かが判定される。第１の実施形態のステップＳ３０１で起動されるアプリケーションは、携帯端末装置Ｋ１とコマンダとをくくり付ける処理を実行するアプリケーションである。アプリケーションが起動されたと判定された場合（ステップＳ３０１：ＹＥＳ）、ステップＳ３０２が実行される。アプリケーションが起動されたと判定されなかった場合（ステップＳ３０１：ＮＯ）、ステップＳ３１３が実行される。アプリケーションの起動は、例えば、ユーザ識別情報と所定のパスワードとが、携帯端末装置Ｋ１に入力されることで起動される。本実施形態のコンピュータとしての制御部５２とステップＳ３０１とによりユーザ識別情報が携帯端末装置Ｋ１に取得される処理は、本発明の取得手段の一例である。
【００９０】
ステップＳ３０２では、コマンダＩＤが取得されたか否かが判定される。例えば、携帯端末装置Ｋ１ユーザが操作部５５を用いて、コマンダＩＤが入力されても良い。また、各カラオケルームに、コマンダＩＤを含むＱＲコードが張られても良い。この場合、携帯端末装置Ｋ１に備えられたカメラによって、ＱＲコードが読み取られる。読み取られたＱＲコードが含むコマンダＩＤが、携帯端末装置Ｋ１に取得される。コマンダＩＤが取得されたと判定された場合（ステップＳ３０２：ＹＥＳ）、ステップＳ３０３が実行される。コマンダＩＤが取得されたと判定されなかった場合（ステップＳ３０２：ＮＯ）、ステップＳ３０８が実行される。
【００９１】
ステップＳ３０３では、ステップＳ３０２で取得されたコマンダＩＤと、携帯端末装置Ｋ１のユーザのユーザ識別情報とを含むくくり付け依頼が、センターサーバ３へ送信される。また、ステップＳ３０３で依頼した時刻が、制御部１１のＲＡＭに記憶される。
【００９２】
ステップＳ３０４では、センターサーバ３からくくり付け完了通知が受信されたか否かが判定される。くくり付け完了通知が受信されたと判定された場合（ステップＳ３０４：ＹＥＳ）、ステップＳ３０５が実行される。くくり付け完了通知が受信されたと判定されなかった場合（ステップＳ３０４：ＮＯ）、ステップＳ３０６が実行される。
【００９３】
ステップＳ３０５では、ステップＳ３０４でくくり付け完了通知を受信したことに基づいて、許可情報が許可情報記憶領域５３２に記憶される。許可情報は、携帯端末装置Ｋ１により動画を撮影し、投稿することが許可されたことを示す情報である。また、許可情報が記憶された時刻が、制御部１１のＲＡＭに記憶される。
【００９４】
ステップＳ３０６では、ステップＳ３０３で記憶した時刻から、所定時間が経過したか否かが判定される。所定時間が経過したと判定された場合（ステップＳ３０６：ＹＥＳ）、ステップＳ３０７が実行される。一方、所定時間が経過したと判定されなかった場合（ステップＳ３０６：ＮＯ）、ステップＳ３０４が再度実行される。
【００９５】
ステップＳ３０７では、くくり付けが失敗したことが通知される。具体的には、くくり付けが失敗したことが、表示部５４を用いて通知される。
【００９６】
ステップＳ３０８では、動画撮影依頼があったか否かが判定される。具体的には、操作部５５により、動画撮影依頼の操作があったか否かが判定される。動画撮影依頼があったと判定された場合（ステップＳ３０８：ＹＥＳ）、ステップＳ３０９が実行される。動画撮影依頼があったと判定されなかった場合（ステップＳ３０８：ＮＯ）、ステップＳ３１３が実行される。なお、本実施形態のコンピュータとしての制御部５２とステップＳ３０８とは、本発明の第1判定手段の一例である。また、本実施形態のステップＳ３０８は、本発明の第１判定ステップの一例である。
【００９７】
ステップＳ３０９では、動画投稿が許可されているか否かが判定される。具体的には、許可情報記憶領域５３２に許可情報が記憶されている場合、動画投稿が許可されていると判定される。一方、許可情報記憶領域５３２に許可情報が記憶されていない場合、動画投稿が許可されていないと判定される。動画投稿が許可されていると判定された場合（ステップＳ３０９：ＹＥＳ）、ステップＳ３１０が実行される。動画投稿が許可されていると判定されなかった場合（ステップＳ３０９：ＮＯ）、ステップＳ３１２が実行される。本実施形態のコンピュータとしての制御部５２とステップＳ３０９とは、本発明の第２判定手段の一例である。また、本実施形態のステップＳ３０９は、本発明の第２判定ステップの一例である。
【００９８】
ステップＳ３１０では、動画投稿の許可が設定される。動画投稿の許可の設定は、例えば、携帯端末装置Ｋ１の撮影ユニット５９を撮影可能に起動する設定である。撮影ユニット５９により撮影される動画は、メモリ５３の所定の記憶領域に記憶される。なお、本実施形態のコンピュータとしての制御部５２とステップＳ３１０とは、本発明の許可手段の一例である。また、本実施形態のステップＳ３１０は、本発明の許可ステップの一例である。
【００９９】
ステップＳ３１１では、ステップＳ３１０で撮影された動画が、センターサーバ３へ投稿される。つまり、撮影された動画がセンターサーバ３にアップロードされる。撮影された動画がセンターサーバ３に投稿されるとき、携帯端末装置Ｋ１のユーザを示すユーザ識別情報と、撮影された動画とが、センターサーバ３にアップロードされる。
【０１００】
ステップＳ３１２では、動画の撮影が不許可に設定される。なお、本実施形態のコンピュータとしての制御部５２とステップＳ３１２とは、本発明の制限手段の一例である。また、本実施形態のステップＳ３１２は、本発明の制限ステップの一例である。なお、動画の撮影を不許可にする以外に、動画の撮影は許可するが、動画の投稿が不許可にされても良い。また、本実施形態の制限の一例として、カラオケシステムＳ内のサーバへの投稿が不許可として制限されても良い。
【０１０１】
ステップＳ３１３では、許可情報が記憶されてから所定の時間が経過したか否かが判定される。具体的には、ステップＳ３０５で記憶された時刻から、所定の時間が経過したか否かが判定される。所定の時間が経過したと判定された場合（ステップＳ３１３：ＹＥＳ）、ステップＳ３１４が実行される。所定の時間が経過したと判定されなかった場合（ステップＳ３１３：ＮＯ）、ステップＳ３１５が実行される。
【０１０２】
ステップＳ３１４では、許可情報が許可情報記憶領域５３２から削除される。
【０１０３】
ステップＳ３１５では、アプリケーションの終了が依頼されたか否かが判定される。アプリケーションの終了が依頼されたと判定された場合（ステップＳ３１５：ＹＥＳ）、ステップＳ３１６が実行される。アプリケーションの終了が依頼されたと判定されなかった場合（ステップＳ３１５：ＮＯ）、ステップＳ３０２が実行される。
【０１０４】
ステップＳ３１６では、携帯端末装置Ｋ１の電源がオフにされたか否かが判定される。携帯端末装置Ｋ１の電源がオフにされたと判定された場合（ステップＳ３１６：ＹＥＳ）、携帯端末装置Ｋ１の動作は終了される。携帯端末装置Ｋ１の電源がオフにされたと判定されなかった場合（ステップＳ３１６：ＮＯ）、ステップＳ３０１が実行される。
【０１０５】
［第２の実施形態］
以下、図７〜図９を用いて、本発明を適用した第２の実施形態について、説明する。なお、第２の実施形態のカラオケシステムＳの概要構成図及び電気的構成図は、第１の実施形態と同様のため、説明を省略する。
【０１０６】
［８．第２の実施形態における携帯端末装置Ｋ１による動画投稿方法］
以下、図７を用いて、第２の実施形態の携帯端末装置Ｋ１による動画投稿方法について説明する。図７は、第２の実施形態の携帯端末装置Ｋ１の動画投稿方法を説明する説明図である。なお、図７に示す処理は、第１の実施形態における図２の（４）の処理が実行された後に実行される。
【０１０７】
図２に示す（４）の処理が実行された後に、携帯端末装置Ｋ１は、楽曲の予約処理を実行する（図７（５））。楽曲の予約処理では、まず、予約する楽曲を識別する楽曲識別情報が決定される。次に、決定された楽曲識別情報が示す楽曲を歌唱する際に、動画撮影を行うか否かを、ユーザＹ１が携帯端末装置Ｋ１に入力する。動画撮影の依頼が行われた場合、携帯端末装置Ｋ１は、許可情報記憶領域５３２に許可情報が記憶されているかを判定する。許可情報が記憶されていると判定された場合、携帯端末装置Ｋ１は、決定された楽曲識別情報をセンターサーバ３に送信し、楽曲の予約を実行する（図７：（６））。この場合、携帯端末装置Ｋ１は、決定された楽曲識別情報と、動画撮影することを示すフラグ情報と、携帯端末装置のユーザのユーザ識別情報を含む予約依頼をセンターサーバへ送信する。一方、許可情報が記憶されていると判定されなかった場合、携帯端末装置Ｋ１は、動画の投稿が不可能なことをユーザＹ１へ通知する。
【０１０８】
センターサーバ３は予約依頼を受信すると、予約依頼を送信した携帯端末装置Ｋ１とくくり付けられたコマンダ２へ受信した予約依頼を転送する（図７：（７））。コマンダ２は、予約依頼を受信すると、受信した予約依頼が含む楽曲識別情報とフラグ情報とを対応付けてコマンダ２の楽曲予約リストへ登録する。
【０１０９】
楽曲予約リストに従ってコマンダ２が楽曲を再生するとき、コマンダ２は、再生する楽曲識別情報と対応付けられたフラグ情報が登録されているかを判定する。フラグ情報が登録されていると判定された場合、コマンダ２は、コマンダ２のコマンダＩＤと、再生される楽曲の楽曲識別情報と、演奏開始指令とをセンターサーバ３へ送信する（図７：（８））。演奏開始指令は、動画撮影を行う楽曲の演奏が開始されることを表す指令である。
【０１１０】
演奏開始指令とコマンダＩＤと楽曲識別情報とをコマンダ２から受信すると、センターサーバ３は、受信したコマンダＩＤとくくり付けられているユーザ識別情報が、くくり付け情報記憶領域３７１に記憶されているかを判定する。受信したコマンダＩＤとくくり付けられているユーザ識別情報が、くくり付け情報記憶領域３７１に記憶されていると判定された場合、ユーザ識別情報が示すユーザの携帯端末装置Ｋ１へ演奏開始指令と楽曲識別情報とが送信される（図７：（９））。そして、演奏開始指令を受信した携帯端末装置Ｋ１は、動画の撮影を開始する。また、コマンダ２は、演奏が終了されることに基づいて、コマンダ２のコマンダＩＤと、演奏が終了される楽曲識別情報を含む演奏終了指令をセンターサーバ３へ送信する。演奏開始指令は、動画撮影を行う楽曲の演奏が終了されることを表す指令である。演奏終了指令とコマンダＩＤと楽曲識別情報とをコマンダ２から受信すると、センターサーバ３は、受信したコマンダＩＤとくくり付けられているユーザ識別情報が、くくり付け情報記憶領域３７１に記憶されているかを判定する。受信したコマンダＩＤとくくり付けられているユーザ識別情報が、くくり付け情報記憶領域３７１に記憶されていると判定された場合、ユーザ識別情報が示すユーザの携帯端末装置Ｋ１へ演奏終了指令と楽曲識別情報とが送信される。これにより、演奏終了指令を受信した携帯端末装置Ｋ１は、動画の撮影を終了する。そして、撮影された動画が、所定のサーバに投稿される。
【０１１１】
この結果、コマンダを利用可能な状況であり、且つ、歌唱が開始されるユーザの携帯端末装置以外の動画投稿を制限することができるため、不適切な動画の検閲の負担を減らすことができる。
【０１１２】
［９．コマンダ２の動作］
以上説明した構成からなる第２の実施形態のコマンダ２の動作及び作用について、添付図面を参照して説明する。まず、コマンダ２の動作及び作用について、添付図面を参照して説明する。図８は、コマンダ２における動作の処理手順を示すフローチャートである。コマンダ２の動作は、コマンダ２の電源がオンにされたこと及び楽曲予約リストに基づいて楽曲の再生処理が実行されることにより、遂行される。以下に示す処理は、制御部２１により処理される。
【０１１３】
まず、ステップＳ４０１では、楽曲予約リストに従って楽曲の再生が開始されるときに、再生される楽曲にフラグ情報が対応付けられているか否かが判定される。フラグ情報が対応付けられていると判定された場合（ステップＳ４０１：ＹＥＳ）、ステップＳ４０２が実行される。フラグ情報が対応付けられていると判定されなかった場合（ステップＳ４０１：ＮＯ）、ステップＳ４０７が実行される。
【０１１４】
ステップＳ４０２では、演奏開始指令と、楽曲識別情報と、コマンダ２のコマンダＩＤとがセンターサーバ３へ送信される。ステップＳ４０２で送信される楽曲識別情報は、ステップＳ４０１で再生が開始されると判定された楽曲の楽曲識別情報である。また、演奏開始指令がセンターサーバ３へ送信されると、演奏開始指令が送信された時刻を示す時刻情報が、記憶部２３に記憶される。
【０１１５】
ステップＳ４０３では、ステップＳ４０２で記憶した時刻情報が示す時刻から、所定の時間が経過したか否かが判定される。所定の時間が経過したと判定された場合（ステップＳ４０３：ＹＥＳ）、ステップＳ４０４が実行される。所定の時間が経過したと判定されなかった場合（ステップＳ４０３：ＮＯ）、ステップＳ４０３が繰り返し実行される。
【０１１６】
ステップＳ４０４では、ステップＳ４０１で再生が開始されると判定された楽曲の演奏が開始される。
【０１１７】
ステップＳ４０５では、ステップＳ４０４で開始された楽曲の演奏が終了したか否かが判定される。楽曲の演奏が終了したと判定された場合（ステップＳ４０５：ＹＥＳ）、ステップＳ４０６が実行される。楽曲の演奏が終了したと判定されなかった場合（ステップＳ４０５：ＮＯ）、ステップＳ４０５が繰り返し実行される。
【０１１８】
ステップＳ４０６では、楽曲の演奏が終了したことに基づいて、演奏終了指令と、コマンダ２のコマンダＩＤとがセンターサーバ３へ送信される。
【０１１９】
ステップＳ４０７では、コマンダ２の電源がオフにされたか否かが判定される。コマンダ２の電源がオフにされたと判定された場合（ステップＳ４０７：ＹＥＳ）、コマンダ２の動作は終了される。コマンダ２の電源がオフにされたと判定されなかった場合（ステップＳ４０７：ＮＯ）、ステップＳ４０１が実行される。
【０１２０】
［９．携帯端末装置Ｋ１の動作］
以上説明した構成からなる第２の実施形態の携帯端末装置Ｋ１の動作及び作用について、添付図面を参照して説明する。携帯端末装置Ｋ１の第２の実施携帯の動作及び作用について、添付図面を参照して説明する。図９は、第２の実施携帯の携帯端末装置Ｋ１における動作の処理手順を示すフローチャートである。携帯端末装置Ｋ１の動作は、携帯端末装置Ｋ１の電源がオンにされたことにより、遂行される。以下に示す処理は、制御部５２により処理される。なお、第２の実施形態のステップＳ５０１〜ステップＳ５０９は、第１の実施形態のステップＳ３０１〜ステップＳ３０９の処理と同じのため、詳細な説明は省略する。
【０１２１】
ステップＳ５０９で、「ＹＥＳ」と判定された場合、ステップＳ５１０では、楽曲の予約処理が実行される。具体的には、楽曲の予約処理では、まず、予約する楽曲を識別する楽曲識別情報が決定される。決定された楽曲識別情報と、フラグ情報とがセンターサーバ３に送信される。
【０１２２】
ステップＳ５０９で、「ＮＯ」と判定された場合、ステップＳ５１１では、投稿が不可能なことが携帯端末装置Ｋ１のユーザＹ１へ通知される。
【０１２３】
次にステップＳ５１２では、演奏開始指令が受信されたか否かが判定される。演奏開始指令が受信されたと判定された場合（ステップＳ５１２：ＹＥＳ）、ステップＳ５１３が実行される。一方、演奏開始指令が受信されたと判定されなかった場合（ステップＳ５１２：ＮＯ）、ステップＳ５１６が実行される。なお、本実施形態の携帯端末装置Ｋ１のコンピュータとしてのコントローラとステップＳ５１２とは、本発明の第３判定手段の一例である。また、本実施形態のステップＳ５１２は、本発明の第３ステップの一例である。
【０１２４】
ステップＳ５１３では、第１の実施形態のステップＳ３１０と同様の処理が実行される。
【０１２５】
ステップＳ５１４では、演奏終了指令が受信されたか否かが判定される。演奏終了指令が受信されたと判定された場合（ステップＳ５１４：ＹＥＳ）、ステップＳ５１５が実行される。一方、演奏終了指令が受信されたと判定されなかった場合（ステップＳ５１４：ＮＯ）、ステップＳ５１４が繰り返し実行される。
【０１２６】
ステップＳ５１５では、第１の実施形態のステップＳ３１１と同様の処理が実行される。ステップＳ５１６では、第１の実施形態のステップＳ３１２と同様の処理が実行される。
【０１２７】
また、第２の実施形態のステップＳ５１７〜ステップＳ５２０は、夫々、第１の実施形態のステップＳ３１３〜ステップＳ３１６と同様の処理が実行される。
【０１２８】
また、第１の実施形態及び第２の実施形態の携帯端末装置は、スマートフォン、携帯電話、タブレットＰＣ等、持ち運び可能な端末装置全てに適用可能である。
【０１２９】
第１の実施形態及び第２の実施形態では、コマンダ２が利用可能な状況の一例として、コマンダ２と携帯端末装置Ｋ１とがくくり付けられた例を用いた。具体的には、携帯端末装置とコマンダとがくくり付けられているかを判定するために、許可情報が許可情報記憶領域５３２に記憶されているかを判定する例を用いた。くくり付けられた実施形態以外にも、本発明は適用可能である。第１の実施形態及び第２の実施形態の変形例として、ＧＰＳ（Ｇｌｏｂａｌ  Ｐｏｓｉｔｉｏｎｉｎｇ  Ｓｙｓｔｅｍ）を備えた携帯端末装置Ｋ１に本発明が適用されても良い。この場合、携帯端末装置Ｋ１を持つユーザＹ１の地理的な位置がＧＰＳを用いて取得される。また、コマンダ２の地理的な位置として、カラオケ店舗ＫＳ、または、カラオケルームＫＲが備えられている地理的な位置が、センターサーバ３に記憶されている。そして、携帯端末装置Ｋ１によりセンターサーバ３から取得されたコマンダ２の地理的な位置と、ユーザＹ１の地理的な位置との差が所定の範囲内であるかを、携帯端末装置Ｋ１は判定する。所定の範囲内であると携帯端末装置Ｋ１により判定された場合、コマンダ２とユーザＹ１とは近い距離に存在しているとして、携帯端末装置Ｋ１に許可情報が記憶されても良い。記憶された許可情報に基づいて、携帯端末装置Ｋ１は、撮影された動画を投稿可能に設定される。
【０１３０】
また、コマンダ２が利用可能な状況の一例として、カラオケ店舗ＫＳの入店時に、携帯端末装置Ｋ１に許可情報が設定されても良い。この場合、カラオケ店舗ＫＳの入店時に、カラオケ店舗ＫＳの管理者によって、携帯端末装置Ｋ１に許可情報が設定される。
【０１３１】
また、コマンダ２が利用可能な状況の一例として、コマンダ２とくくり付けられたリモコン１にログインしているユーザのユーザ識別情報が用いられても良い。この場合、リモコン１によりログイン処理が実行されるたびに、リモコン１の第１ログイン情報記憶領域１３１に記憶されたログイン情報が、センターサーバ３へ送信される。送信されたログイン情報は、センターサーバ３の記憶部３７の所定の記憶領域に記憶される。第１の実施形態のステップＳ３０３で、携帯端末装置Ｋ１によりくくり付けの依頼が行われると、センターサーバ３は、ステップＳ２０４でくくり付け処理を実行する。このときに、センターサーバ３は、ステップＳ２０４でくくり付けられたコマンダ２とくくり付けられているリモコンに、受信したユーザ識別情報がログインしているか否かを、記憶部３７の所定の記憶領域に記憶されているログイン情報に基づいて判定する。受信したユーザ識別情報がリモコンにログインしていると判定された場合、センターサーバ３は、くくり付け完了通知と、許可情報とを携帯端末装置Ｋ１へ送信する。一方、受信したユーザ識別情報がリモコンにログインしていると判定されなかった場合、センターサーバ３は、くくり付け完了通知のみを携帯端末装置Ｋ１へ送信する。そして、携帯端末装置Ｋ１が、ステップＳ３０４で、くくり付け完了通知を受信したときに、許可情報も受信した場合、ステップＳ３０５で、許可情報を記憶する。一方、携帯端末装置Ｋ１が、ステップＳ３０４で、くくり付け完了通知を受信したときに、許可情報を受信しなかった場合、ステップＳ３０５で、許可情報を記憶しない。これにより、コマンダまたはリモコン装置を利用中のユーザの携帯端末装置以外の動画投稿を制限することができるため、不適切な動画の検閲の負担を減らすことができる。
【符号の説明】
【０１３２】
１  リモコン
２  コマンダ
３  センターサーバ
１１  制御部
１３１  第１ログイン情報記憶領域
３５  制御部
３７  記憶部
３７１  くくり付け情報記憶領域
３７２  投稿情報記憶領域
５２  制御部
５３１  コマンダＩＤ記憶領域
５３２  許可情報記憶領域
Ｋ１  携帯端末装置
Ｋ２  携帯端末装置
Ｋ３  携帯端末装置
【図１】
0005333546.tif 000002
【図２】
0005333546.tif 000003
【図３】
0005333546.tif 000004
【図４】
0005333546.tif 000005
【図５】
0005333546.tif 000006
【図６】
0005333546.tif 000007
【図７】
0005333546.tif 000008
【図８】
0005333546.tif 000009
【図９】
0005333546.tif 000010